(57)【特許請求の範囲】
【請求項１】
両脚片を備えて断面略門形に形成した本体部と、該両脚片のそれぞれの下端から対向するように折曲延設された両挟着片とをすくなくとも備えてなり、緊締用ボルトと緊締用ナットとの螺合により上記両脚片を緊締して、上記両挟着片を相互に近接させて、波形屋根の頂部より突出したボルト体に挟着させる構造とした挟着具を備えた屋根上取付具において、
上記両脚片を緊締する上記緊締用ボルトと上記緊締用ナットとの螺合により、上記挟着具の両脚片の少なくとも一方の脚片の外側で上記挟着具に連結される連結片と、上記頂部に接着される接着片とを有して、側面視Ｌ字形に形成された補強用板体をさらに備え、該補強用板体を上記波形屋根の頂部の上に配設して、上記ボルト体に挟着させた上記挟着具を支持する構造としたことを特徴とする屋根上取付具。
【請求項２】
両脚片を備えて断面略門形に形成した本体部と、該両脚片のそれぞれの下端から対向するように折曲延設された両挟着片とをすくなくとも備えてなり、緊締用ボルトと緊締用ナットとの螺合により上記両脚片を緊締して、上記両挟着片を相互に近接させて、波形屋根の頂部より突出したボルト体に挟着させる構造とした挟着具を備えた屋根上取付具において、
上記両脚片を緊締する上記緊締用ボルトと上記緊締用ナットとの螺合により、上記挟着具の両脚片の少なくとも一方の脚片の外側で上記挟着具に連結される連結片と、上記頂部に接着される接着片とを有して、箱形に形成された補強用板体をさらに備え、該補強用板体を上記波形屋根の頂部の上に配設して、上記ボルト体に挟着させた上記挟着具を支持する構造としたことを特徴とする屋根上取付具。
【請求項３】
請求項１または２において、
上記補強用板体は、上記頂部に対する嵌合片をさらに備えている屋根上取付具。
【請求項４】
請求項１〜３のいずれか１項に記載された屋根上取付具の挟着具を複数個、波形屋根の頂部に並設し、それらの屋根上取付具の上に屋根上取付物を固定できるようにした屋根上取付具の取付構造であって、
上記屋根上取付具のうち両端に位置する２つの屋根上取付具の挟着具のそれぞれは、両脚片が頂部の長手方向に沿って並んで配され、それらの挟着具のそれぞれに対応する補強用板体がともに、外側の脚片に固定されていることを特徴とする、屋根上取付具の取付構造。
【発明の詳細な説明】
【技術分野】
【０００１】
本発明は、波形屋根の頂部より突出したボルト体に挟着させて屋根上に取り付けるようにした屋根上取付具およびその取付構造に関する。
【背景技術】
【０００２】
一般に、折板屋根（角波形屋根）、丸波形屋根等の波形屋根の上面に、例えばテレビアンテナや空調機器、太陽電池パネル、遮熱シート等の各種機器・部材類等の屋根上取付物を配設することが実施されており、従来には、このような屋根上取付物を屋根上に取り付けるための種々の屋根上取付具が提案されている（例えば、特許文献１参照）。
【０００３】
特に、波形屋根の頂部で隣接する屋根材を重ねた重合部をボルト体とナットの螺着によって固定した構造のものでは、その頂部で、屋根の下方より屋根を貫通して屋根上に突出させた、屋根材連結のためのボルト体を対向する挟着片で挟み込んで固定する挟着具によって構成された屋根上取付具も提案されている。
【０００４】
この挟着具は、両脚片を備えて断面略門形に形成した本体部と、その両脚片の下端から対向するように延びた両挟着片とを備えており、両脚片を横方向に貫く緊締用ボルト、ナットで緊締して、ボルト体に両挟着片を挟着させて取り付ける構造となっている。このような取付構造によれば、両挟着片の先端部がボルト体のネジ溝に食い込んで固定できるため、挟着具が外れる可能性は低い。
【先行技術文献】
【特許文献】
【０００５】
【特許文献１】特許第３３６８３７４号
【発明の概要】
【発明が解決しようとする課題】
【０００６】
しかしながら、ボルト体への挟着によって装着させる方式の屋根上取付具の場合、次のような問題があった。
【０００７】
図６は、挟着によって装着するようにした従来の屋根上取付具の波形屋根への取付例の２例を示す概略説明図であり、図６（ａ）は波形屋根Ｙの側端縁の山部Ｙ１の頂部Ｙ１ａにおけるハゼ式接合構造により形成されたハゼ部Ｄの脚部Ｄ１への挟着例であり、図６（ｂ）は重ね式接合構造におけるボルト体Ｂの軸部Ｂ１への挟着例である。いずれも、各屋根上取付具の上方に遮熱シート１１０を固定して取り付けた例であり、２例とも、同種、同構造の屋根上取付具（挟着具１００）を使用している。なお、図６（ａ）、（ｂ）に示した屋根上取付具の取付例は、頂部Ｙ１ａに対する取付態様（向き）が異なるものである。なお、Ｙ２は波形屋根Ｙの谷部である。
【０００８】
図例のように遮熱シート１１０を複数の挟着具１００に固定して張り渡した場合、例えば遮熱シート１１０上に積雪した場合に雪Ｓの重みによって遮熱シート１１０の両側に配された屋根上取付具１００が中央に引っ張られて、ハゼ部Ｄやボルト体Ｂに挟着した挟着片１０１が傾斜しながらずり上がるおそれがある。また、遮熱シート１１０が雨水等により湿気を帯び、その後乾燥した場合には遮熱シート１１０が収縮することがあり、その場合にも同様の現象が生じるおそれがある。
【０００９】
この場合、ハゼ部Ｄへ装着した挟着具１００は、多少のずれや傾きが生じるおそれはあるもののハゼ部Ｄの上部が横方向に突出しているため、挟着具１００がハゼ部Ｄから抜け出るおそれはほとんどないが（図６（ａ）参照）、ボルト体Ｂへ装着したものでは、強力な引っ張り力によって挟着具１００が徐々に傾いていき、挟着片１０１の先端がボルト体Ｂの軸部Ｂ１をずり上がりながら外れてしまうおそれがある（図６（ｂ）参照）。
【００１０】
また、ボルト体Ｂへの挟着により装着させる屋根上取付具の場合、ボルト止めのためのナットを頂部Ｙ１ａの上面に配する必要があるから、挟着具１００を取り付けた際には脚片や挟着片１０１が頂部Ｙ１ａから浮いた状態となり、挟着具１００が回転したりぐらついたりするおそれもあった。
【００１１】
したがって、このようなボルト体Ｂへの挟着によって装着させる方式の屋根上取付具では、外力による挟着具の傾き、ずり上がり等のずれや、回転、ぐらつき等の弛みが発生しにくい構造のものが必要とされていた。
【００１２】
本発明は、このような事情を考慮して提案されたもので、その目的は、挟着具のずれや弛みが発生するおそれがなく安定した状態を維持でき、なおかつ複数の屋根上取付具の上に取り付けた屋根上取付物の負荷によって挟着具が傾いたり抜けたりするおそれのない屋根上取付具および屋根上取付具の取付構造を提供することにある。
【課題を解決するための手段】
【００１３】
上記目的を達成するために、請求項１に係る屋根上取付具は、両脚片を備えて断面略門形に形成した本体部と、該両脚片のそれぞれの下端から対向するように折曲延設された両挟着片とをすくなくとも備えてなり、緊締用ボルトと緊締用ナットとの螺合により上記両脚片を緊締して、上記両挟着片を相互に近接させて、波形屋根の頂部より突出したボルト体に挟着させる構造とした挟着具を備えた屋根上取付具において、上記両脚片を緊締する上記緊締用ボルトと上記緊締用ナットとの螺合により、上記挟着具の両脚片の少なくとも一方の脚片の外側で上記挟着具に連結される連結片と、上記頂部に接着される接着片とを有して、側面視Ｌ字形に形成された補強用板体をさらに備え、該補強用板体を上記波形屋根の頂部の上に配設して、上記ボルト体に挟着させた上記挟着具を支持する構造としたことを特徴とする。
【００１４】
請求項２に係る屋根上取付具は、両脚片を備えて断面略門形に形成した本体部と、該両脚片のそれぞれの下端から対向するように折曲延設された両挟着片とをすくなくとも備えてなり、緊締用ボルトと緊締用ナットとの螺合により上記両脚片を緊締して、上記両挟着片を相互に近接させて、波形屋根の頂部より突出したボルト体に挟着させる構造とした挟着具を備えた屋根上取付具において、上記両脚片を緊締する上記緊締用ボルトと上記緊締用ナットとの螺合により、上記挟着具の両脚片の少なくとも一方の脚片の外側で上記挟着具に連結される連結片と、上記頂部に接着される接着片とを有して、箱形に形成された補強用板体をさらに備え、該補強用板体を上記波形屋根の頂部の上に配設して、上記ボルト体に挟着させた上記挟着具を支持する構造としたことを特徴とする。
【００１５】
（削除）
【００１６】
請求項３に係る屋根上取付具では、請求項１または２において、上記補強用板体は上記頂部に対する嵌合片をさらに備えている。
【００１７】
請求項４に係る屋根上取付具の取付構造は、請求項１〜３のいずれか１項に記載された屋根上取付具の挟着具を複数個、波形屋根の頂部に並設し、それらの屋根上取付具の上に屋根上取付物を固定できるようにした屋根上取付具の取付構造であって、上記屋根上取付具のうち両端に位置する２つの屋根上取付具の挟着具のそれぞれは、両脚片が頂部の長手方向に沿って並んで配され、それらの挟着具のそれぞれに対応する補強用板体がともに、外側の脚片に固定されていることを特徴とする。
【発明の効果】
【００１８】
本発明によれば、次のような効果がある。
【００１９】
すなわち、請求項１に係る屋根上取付具によれば、補強用板体の接着片を頂部の上に接着させて挟着具を支持する構造であるため、外力による挟着具の傾き、ずり上がり等のずれや、回転、ぐらつき等の弛みの発生を防止でき、挟着具の安定した状態を維持できる。
また、補強用板体は側面視Ｌ字形に形成されているため、製造が容易で、なおかつ堅固に挟着具を波形屋根に取り付けることができる。
【００２０】
（削除）
【００２１】
請求項２に係る屋根上取付具によれば、補強用板体の接着片を頂部の上に接着させて挟着具を支持する構造であるため、外力による挟着具の傾き、ずり上がり等のずれや、回転、ぐらつき等の弛みの発生を防止でき、挟着具の安定した状態を維持できる。
また、補強用板体は箱形に形成されているため、補強用板体自体をより頑丈に形成でき、挟着具の支持力を高めることができる。
【００２２】
請求項３に係る屋根上取付具によれば、補強用板体が頂部に対する嵌合片をさらに備えているので、補強用板体およびそれに連結される挟着具の回転を確実に防止できる。
【００２３】
さらに請求項４に係る屋根上取付具の取付構造によれば、屋根上取付物を取り付けるために頂部に並んで配設された複数の屋根上取付具のうち、両端に位置する２つの屋根上取付具の挟着具のそれぞれに対応する補強用板体がともに外側の脚片に固定されているので、屋根上取付物に引っ張られたときに外側からそれに抗する力が作用して挟着具が傾いたり抜けたりすることを確実に防止することができる。
【図面の簡単な説明】
【００２４】
【図１】本発明に係る屋根上取付具の第１の実施形態を示す説明図であり、（ａ）は波形屋根への取付状態を示した正面図、（ｂ）は同側面図である。
【図２】図１に示した屋根上取付具の説明図であり、（ａ）は全体の分解斜視図、（ｂ）は、（ａ）のＸ部分の拡大平面図である。
【図３】（ａ）、（ｂ）は、同屋根上取付具の施工方法を示す正面図である。
【図４】本発明に係る屋根上取付具の取付構造を示す説明図である。
【図５】本発明に係る屋根上取付具の他の実施形態の説明図であり、（ａ）は第２の実施形態で使用される補強用板体を示す斜視図、（ｂ）はその補強用板体の展開図、（ｃ）は第３の実施形態で使用される補強用板体の斜視図である。
【図６】（ａ）、（ｂ）は従来の屋根上取付具の設置態様を示す正面図と側面図である。
【発明を実施するための形態】
【００２５】
以下に、本発明の実施の形態について、添付図面を参照しながら説明する。なお以下には、本発明の屋根上取付具の取付対象である波形屋根として、角波形屋根、つまり折板屋根を例示しているが、丸波形屋根（略半円形の山部と谷部とが交互に連続する屋根）にも適用できる。また、屋根の素材としては、金属や合成樹脂、セメント系等のものが適用できる。
【００２６】
図１は本発明に係る屋根上取付具の第１の実施形態を示す説明図であり、図１（ａ）は折板屋根への取付状態を示した正面図、図１（ｂ）は同側面図である。また、図２（ａ）は図１に示した屋根上取付具の分解斜視図、図２（ｂ）は図２（ａ）のＸ部分の拡大平面図である。図３（ａ）、（ｂ）は同屋根上取付具の施工方法を示す正面図である。
【００２７】
本実施形態に使用される折板屋根４０は、山部４１と谷部４２とが交互に連続する屋根であって、複数の折板屋根材を側端縁の山部４１の頂部４１ａで重合し、その重合部４０ａでボルト体２１とナット２２の螺着によって連結した重ね式構造となっている。また、ボルト孔からの水の浸入を防止するために、ナット２２と頂部４１ａとの間に防水パッキン（不図示）が取り付けられ、さらに、ナット２２と防水パッキンとの間に防水パッキンを覆う山座２３が設けられている。
【００２８】
また、折板屋根４０の裏側には、正面視で折板屋根４０と略同形状をなす、ボルト止めのための支持金具４３が取り付けられている。なお、屋根上取付具１０を取り付けるためのボルト体２１の取付位置は隣接する折板屋根材の接合部に限らず、他の頂部に支持金具４３を用いてボルト体２１を取り付けてもよい。
【００２９】
一方、屋根上取付具１０は、金属板または硬質樹脂板よりなり、折板屋根４０の頂部４１ａより上方に突出した重合部連結用の上記ボルト体２１に挟着して取り付け、固定される挟着具１０Ａを有している。
【００３０】
具体的には、挟着具１０Ａは、上板１１ａと、その両端から下方に延びる両脚片１１ｂ、１１ｂとを備えた断面略門形の本体部１１と、両脚片１１ｂ、１１ｂのそれぞれの下端から対向するように折曲延設された両挟着片１２、１２とをすくなくとも備えてなり、両脚片１１ｂ、１１ｂを緊締して、両挟着片１２、１２を相互に近接させて、上記ボルト体２１の軸部２１ａに、ボルト体２１に螺着されたナット２２の上方位置で挟着させる構造となっている。この両脚片１１ｂ、１１ｂの緊締は、対向する両脚片１１ｂ、１１ｂに開設された軸孔１１ｂａ、１１ｂａ（図２参照）に貫通された緊締用ボルト１３と、緊締用ナット１４との螺合によってなされる。
【００３１】
なお本実施形態では、脚片１１ｂより延設された挟着片１２が、折曲基部１２ａから先端部１２ｂに向けて傾斜起立した形状となっているが、これには限定されない。
【００３２】
また、挟着片１２の先端部１２ｂの辺縁の略中央には、折板屋根４０の頂部４１ａより突出したボルト体２１の外周面に嵌合可能な凹所１２ｃが形成されており、さらに凹所１２ｃの中央には上方に傾斜起立された切り起こし片１２ｄが形成されている。なお、この切り起こし片１２ｄはボルト体２１の軸部２１ａに対して鋭角的に嵌合させるものであるが、挟着片１２の傾斜の程度によっては、切り起こし片１２ｄを形成しなくてもよい。さらに、挟着片１２には、挟着片１２の強度を上げるためのリブ１２ｅが形成されている。
【００３３】
また、この屋根上取付具１０は、両脚片１１ｂ、１１ｂを緊締する緊締用ボルト１３と補強用板体取付ナット１７との螺合により、両脚片１１ｂ、１１ｂの少なくとも一方の脚片１１ｂ（緊締用ナット１４を取り付けるほうの脚片１１ｂ）の外側に固定される側面視Ｌ字形の補強用板体１６をさらに備えている。
【００３４】
この補強用板体１６は、図２に示すように側面視Ｌ字形をしており、連結片１６ｂと、その下端より直交して延び、下面に接着剤層１８を有した接着片１６ｃとからなり、連結片１６ｂには上方に開口した切り欠き状の長穴１６ａが形成されており、この長穴１６ａに挿通される緊締用ボルト１３と補強用板体取付ナット１７との螺合により一方の脚片１１ｂに固定される構造となっている。また、その脚片１１ｂと連結片１６ｂとの間には、挟着具１０Ａを緊締するための緊締用ナット１４が配されている。
【００３５】
このように補強用板体１６は、この緊締用ボルト１３と補強用板体取付ナット１７とで固定され、さらに緊締用ナット１４の緊締用ボルト１３への螺合によって挟着具１０Ａの緊締状態が保持されているため、挟着具１０Ａとの緩みが抑えられる。
【００３６】
なお、補強用板体１６は金属板または硬質樹脂板からなり、強度保持のため一枚の平板体をＬ字形に折り曲げ形成したものが望ましいが、二枚の平板体を溶接、溶着もしくは接着したものでもよい。
【００３７】
このような補強用板体１６によれば、接着片１６ｃの下面に形成した接着剤層１８で補強用板体１６が折板屋根４０の頂部４１ａに固定されるので、補強用板体１６から挟着具１０Ａへの方向へ、あるいはその逆方向の外力が加わった際、補強用板体１６はそれに抗うための十分な支えとなり得、よって挟着具１０Ａが傾いたり、ずり上がったりすることを抑えて、挟着具１０Ａを安定した状態に維持させることができる。なお図５で後述するように、この補強用板体１６の構成は複数の屋根上取付具１０にシート等を張り渡す場合に有効である。また本実施形態では、補強用板体１６は連結片１６ｂと接着片１６ｃとが一体形成されたものであるため、特に強固に挟着具１０Ａを支持できる。
【００３８】
また、緊締用ボルト１３と緊締用ナット１４との螺合により折板屋根４０の頂部４１ａより突出したボルト体２１に両挟着片１２、１２を挟着させた状態で、補強用板体取付ナット１７で補強用板体１６を緊締用ボルト１３に固定する構造であるため、きわめて容易な作業でかつ短時間のうちに屋根上取付具１０を取り付けることができる。
【００３９】
本実施形態による屋根上取付具１０の取付方法に関しては、まず両脚片１１ｂ、１１ｂの軸孔１１ｂａ、１１ｂａに緊締用ボルト１３の軸部１３ａを貫通させたうえで、緊締用ボルト１３の先端側において緊締用ナット１４により両脚片１１ｂ、１１ｂを軽く締めて仮止め状態にし、その挟着具１０Ａを、頂部４１ａより突出したボルト体２１の上方から、両脚片１１ｂ、１１ｂの隙間１５を通じてボルト体２１を嵌挿する（図３（ａ）参照）。
【００４０】
つぎに、仮止め状態にしていた緊締用ボルト１３および緊締用ナット１４を締め付けると、この締め付け力によって両脚片１１ｂ、１１ｂが近接して、両脚片１１ｂ、１１ｂ下端の両挟着片１２、１２も互いに近接し、この両挟着片１２、１２の両凹所１２ｃ、１２ｃが、ボルト体２１の軸部２１ａを挟持し、切り起こし片１２ｄがボルト体２１のネジ溝に食い込んで、挟着具１０Ａが折板屋根４０に固定される。（図３（ｂ）参照）。
【００４１】
そしてさらに、緊締用ナット１４から突出した緊締用ボルト１３が補強用板体１６の長穴１６ａを挿通するようにして位置合わせをしてから補強用板体１６を頂部４１ａの上に載置し、接着片１６ｃを接着剤層１８でもって頂部４１ａに接着固定する。そして、長穴１６ａから突出した緊締用ボルト１３に対して補強用板体取付ナット１７を螺着させることで補強用板体１６は挟着具１０Ａに対して連結固定される（図３（ｂ）参照）。
【００４２】
こうして取り付けた屋根上取付具１０によれば、屋根上取付具１０の本体部１１の上に、安定した状態で、各種機器や部材類を取り付けることができる。
【００４３】
また、補強用板体１６を挟着具１０Ａに連結固定した構造であるため本実施形態のように挟着具１０Ａが頂部４１ａ面に接触せずに設置される場合でも、挟着具１０Ａが回転したりぐらついたりすることを防止することができる。特に、接着片１６ｃが頂部４１ａに接着される構成であるため、いずれの方向からの外力に対しても高い抵抗力を発揮でき、挟着具１０Ａを堅固で安定した状態に維持することができる。
【００４４】
また、補強用板体１６は、連結片１６ｂを折板屋根４０の上面に立設させて挟着具１０Ａを支持する構成であるため、屋根上取付具１０の下にスペーサを設けて安定させる必要がない。その結果、挟着具１０Ａの下にスペーサを設ける場合のように、屋根上取付具１０の位置が高くならず、ボルト体２１の余裕代を大きくとることができる。
【００４５】
なお、補強用板体取付ナット１７による補強用板体１６の取り付けに際しては、折曲基部１２ａと連結片１６ｂとが密着し、緩みがなくなるとさらに固定強度が高まるので、緊締用ナット１４、連結片１６ｂ、補強用板体取付ナット１７のそれぞれの間に位置調整や緩み止めのために、スプリングワッシャや座金等を介在させることがさらに好ましい。
【００４６】
ついで、図４を参照しながら、屋根上取付具１０の折板屋根４０への取付構造、および屋根上取付物の固定構造について説明する。
【００４７】
図４の例では屋根上取付物として遮熱シート３０を示している。この遮熱シート３０は、複数の頂部４１ａのそれぞれに配設した複数の屋根上取付具１０に張り渡して固定されるようになっている。
【００４８】
具体的には、複数の屋根上取付具１０を折板屋根４０の頂部４１ａに並設し、さらに他の頂部４１ａにも同様に複数の屋根上取付具１０を並設する。各頂部４１ａに配した複数の屋根上取付具１０のうちの両端の２つの屋根上取付具１０の挟着具１０Ａのそれぞれは、両脚片１１ｂ、１１ｂが頂部４１ａの長手方向に沿って並ぶように配されている。なお、中間の挟着具１０Ａは図例のように、両端の挟着具１０Ａと同様の向きに配してもよいし、他の向きに配してもよい。
【００４９】
そして、両端の挟着具１０Ａのそれぞれに対して、補強用板体１６が外側の脚片１１ｂに固定される。つまり、本実施形態のように遮熱シート３０を張り渡す場合には、補強用板体１６は、遮熱シート３０によって引っ張られる方向とは逆方向に面した外側の脚片１１ｂに取り付けられる。
【００５０】
なお、中間の挟着具１０Ａについても、取付強度をより高めるという観点から、図例のように、補強用板体１６を両脚片１１ｂ、１１ｂの一方または両方に取り付けることが望ましい。また、図４では複数の屋根上取付具１０の上に取り付ける屋根上取付物の例として遮熱シート３０を示したが、テレビアンテナや空調機器、太陽電池パネルを取り付ける場合にも、上記の屋根上取付具の取付構造を適用することができる。
【００５１】
このように、頂部４１ａに並んで配設された複数の屋根上取付具１０のうち、両端に位置する２つの屋根上取付具１０の挟着具１０Ａのそれぞれに対応する補強用板体１６がともに外側の脚片１１ｂに固定されているので、遮熱シート３０に引っ張られたときに、挟着具１０Ａの外側から、引っ張り力に抗する引っ張り力が作用して挟着具１０Ａが傾いたり抜けたりすることを確実に防止することができる。
【００５２】
なお図４では、補強用板体１６を、両端に位置する挟着具１０Ａの外側の脚片１１ｂに連結した例を示したが、内側の脚片１１ｂに連結した場合でも、挟着具１０Ａに対して支持力を発揮できることはいうまでもない。
【００５３】
つぎに、本発明の他の実施形態について説明する。図５（ａ）は第２の実施形態で使用される補強用板体を示す斜視図、図５（ｂ）はその補強用板体の展開図である。図５（ｃ）は第３の実施形態で使用される補強用板体の斜視図である。
【００５４】
図５（ａ）、（ｂ）に示した補強用板体１６は箱形に形成され、一枚の板体を切断等の加工をして箱体に形成したものである。つまり補強用板体１６は、１片の連結片１６ｂと、２片に分離された接着片１６ｃ、１６ｃと、２片の壁片１６ｄ、１６ｄとよりなり、それぞれの接着片１６ｃ、１６ｃの下面には接着剤層１８、１８が形成されている。なお、この箱形の補強用板体１６は金属板または硬質樹脂板からなる一体の板状体を切り欠き、折り曲げ加工したものであるが、複数枚の平板体を溶接、溶着もしくは接着して形成したものでもよい。
【００５５】
このような箱形の補強用板体１６によれば、補強用板体１６が箱形に形成されているため、補強用板体１６自体をより頑丈に形成でき、挟着具１０Ａの支持力を高めることができる。
【００５６】
また、図５（ｃ）に示した補強用板体１６は、連結片１６ｂ、接着片１６ｃにくわえて、接着片１６ｃの両端より下方に延びる嵌合片１６ｅ、１６ｅをさらに備えている。この両嵌合片１６ｅ、１６ｅは折板屋根４０の頂部４１ａと嵌合でき、回転が規制されるようになっており、補強用板体１６に連結された挟着具１０Ａの回転を確実に防止できる。
【００５７】
なお、図５に示した２種の補強用板体１６と挟着具１０Ａとの施工方法や取付構造については第１の実施形態のものと同様であるので、図示および説明は省略する。
【００５８】
また、以上の実施形態で示した屋根上取付具１０は図６に示したようなハゼ部に対しても装着が可能であり、その場合にも補強用板体１６が挟着具１０Ａの安定維持に寄与することはいうまでもない。
【符号の説明】
【００５９】
１０      屋根上取付具
１０Ａ      挟着具
１１        本体部
１１ａ      上板
１１ｂ      脚片
１２      挟着片
１２ｃ      凹所
１２ｄ      切り起こし片
１３      緊締用ボルト
１４      緊締用ナット
１６      補強用板体
１６ａ      長穴
１６ｂ      連結片
１６ｃ      接着片
１６ｄ      壁片
１６ｅ      嵌合片
１７      補強用板体取付ナット
１８      接着剤層
２１      ボルト体
３０      遮熱シート
４０      折板屋根（波形屋根）
４１      山部
４１ａ      頂部
【図１】
0005581077.tif 000002
【図２】
0005581077.tif 000003
【図３】
0005581077.tif 000004
【図４】
0005581077.tif 000005
【図５】
0005581077.tif 000006
【図６】
0005581077.tif 000007